(57)【要約】【課題】通信網との接続を確立できない位置にいるユーザに対して、電子メールが送信された旨を報知することができる報知方法、通信装置、情報通知システム、コンピュータプログラム及び記録媒体を提供する。【解決手段】通信装置１ａ、１ｂ、１ｃは、別体の報知手段として、ビルＢａ、Ｂｂ、Ｂｃ内の通信網ＮＷとの接続が確立できない地階に設置されている回転灯１０ａ、１０ｂ、１０ｃを備えており、回転灯１０ａ、１０ｂ、１０ｃ以外の部分は、ビルＢａ、Ｂｂ、Ｂｃ内の通信網ＮＷとの接続が確立できる区域に設置されている。通信装置１ａは、設備制御装置４ａから緊急信号を入力されると、緊急信号に対応する情報を通知する電子メールを生成し、通信装置１ｂ、１ｃ及び携帯電話機２へ送信する。通信網ＮＷ上のメールサーバ装置３を介して電子メールを受信した通信装置１ｂ、１ｃは回転灯１０ｂ、１０ｃを点滅させる。【選択図】　　　図１
2004139467.tif 000002
【特許請求の範囲】
【請求項１】
通信網との接続を確立できる通信装置が、前記通信網との接続を確立できない位置に設置される別体の報知手段を用いて報知する方法であって、
前記通信装置により、
電子メールを受信し、
前記報知手段を作動させる
ことを特徴とする報知方法。
【請求項２】
通信網との接続を確立できない位置に設置される別体の報知手段を備える、前記通信網との接続を確立できる通信装置であって、
電子メールを受信する手段と、
前記電子メールを受信した場合、前記報知手段を作動させる作動手段と
を備えることを特徴とする通信装置。
【請求項３】
前記報知手段は表示器であり、
前記受信した電子メールから前記表示器に表示させる内容を抽出する手段をさらに備え、
前記作動手段により、抽出した内容を前記表示器に表示させるように構成してある
ことを特徴とする請求項２に記載の通信装置。
【請求項４】
接続された外部装置から情報を通知する信号を受信する手段と、
受信した信号に対応する情報を通知する電子メールを生成する手段と、
生成した電子メールを、予め記憶している送信先へ送信する送信手段と
をさらに備えることを特徴とする請求項２又は３に記載の通信装置。
【請求項５】
複数の請求項４に記載の通信装置と、各通信装置と通信網を介して接続される、電子メール受信機能を有する携帯情報端末装置とを備える情報通知システムであって、
各通信装置は、
自装置以外の通信装置に設定される電子メールアドレス、及び、前記携帯情報端末装置に登録される電子メールアドレスを記憶する手段
を備え、
前記送信手段により、記憶した電子メールアドレスに基づいて電子メールを送信するように構成してある
ことを特徴とする情報通知システム。
【請求項６】
コンピュータに、報知させるためのコンピュータプログラムにおいて、
コンピュータに、電子メールを受信したことを確認させるステップと、
コンピュータに、通信網との接続を確立できない位置に設置される報知手段を作動させるステップと
を実行させることを特徴とするコンピュータプログラム。
【請求項７】
コンピュータに、報知させるためのコンピュータプログラムを記録してあるコンピュータで読み取りが可能な記録媒体において、
コンピュータに、電子メールを受信したことを確認させるステップと、
コンピュータに、通信網との接続を確立できない位置に設置される報知手段を作動させるステップと
を実行させるコンピュータプログラムを記録してあることを特徴とするコンピュータで読み取りが可能な記録媒体。
【発明の詳細な説明】
【０００１】
【発明の属する技術分野】
本発明は、電子メールが送信された場合にその旨を報知する報知方法、該報知方法に用いられる通信装置、該通信装置を用いた情報通知システム、コンピュータを前記通信装置として実現させるためのコンピュータプログラム、及び該コンピュータプログラムを記録してあるコンピュータでの読み取りが可能な記録媒体に関する。
【０００２】
【従来の技術】
監視対象物の稼働情報を通知する方法として、電子メールを用いて通知する方法が知られている。例えば、複数のビルからなるビル群において、あるビルに備えられるエレベータ等の設備を監視対象物とし、この設備に緊急事態が発生した場合、緊急事態が発生した旨を、ビル群全体の設備を管理する管理人に電子メールを用いて通知する方法がある。この方法においては、緊急事態が発生した設備から出力される緊急信号に基づいて緊急事態が発生した旨を通知する電子メールが生成され、管理人が携帯する携帯電話機へ、前記電子メールが送信される。これにより、緊急事態が発生したビルとは異なるビルに管理人がいる場合であっても、緊急事態が発生したことを一刻も早く管理人に通知することができるので、緊急事態がより早く解決される（例えば、特許文献１参照。）。
【０００３】
【特許文献１】
特開２００２−１０１４７３号公報
【０００４】
【発明が解決しようとする課題】
ビルに備えられる設備の中にはその制御装置が地下に配設されているものがあり、この場合、管理人は地下で作業を行う可能性がある。しかしながら、地下は携帯電話機が通信網との接続を確立できない区域であることが多く、管理人が地下で作業をしている場合には、緊急事態が発生した旨を通知する電子メールが送信されても、その携帯電話機により電子メールを受信することができない。このため、管理人が地下での作業を終了する等してから、地上等の携帯電話機によって通信網との接続が確立できる区域へ移動し、通信網上のメールサーバ装置へ携帯電話機にて電子メールの問い合わせを行って電子メールを受信するまでは、その電子メールはメールサーバ装置に保管されたままとなる。よって、この場合には緊急事態が発生したことを管理人に通知するのが遅れるのに伴い、緊急事態が解決されるのが遅れる可能性があるという問題がある。
【０００５】
本発明は斯かる事情に鑑みてなされたものであって、その目的とするところは、電子メールが送信された場合に、通信網との接続を確立できない位置にいるユーザに対して、電子メールが送信された旨を報知することができる報知方法、該報知方法に用いられる通信装置、該通信装置を用いた情報通知システム、コンピュータを前記通信装置として実現させるためのコンピュータプログラム、及び該コンピュータプログラムを記録してあるコンピュータでの読み取りが可能な記録媒体を提供することにある。
【０００６】
【課題を解決するための手段】
第１発明に係る報知方法は、通信網との接続を確立できる通信装置が、前記通信網との接続を確立できない位置に設置される別体の報知手段を用いて報知する方法であって、前記通信装置により、電子メールを受信し、前記報知手段を作動させることを特徴とする。
【０００７】
第２発明に係る通信装置は、通信網との接続を確立できない位置に設置される別体の報知手段を備える、前記通信網との接続を確立できる通信装置であって、電子メールを受信する手段と、前記電子メールを受信した場合、前記報知手段を作動させる作動手段とを備えることを特徴とする。
【０００８】
第３発明に係る通信装置は、第２発明において、前記報知手段は表示器であり、前記受信した電子メールから前記表示器に表示させる内容を抽出する手段をさらに備え、前記作動手段により、抽出した内容を前記表示器に表示させるように構成してあることを特徴とする。
【０００９】
第４発明に係る通信装置は、第２発明又は第３発明において、接続された外部装置から情報を通知する信号を受信する手段と、受信した信号に対応する情報を通知する電子メールを生成する手段と、生成した電子メールを、予め記憶している送信先へ送信する送信手段とをさらに備えることを特徴とする。
【００１０】
第５発明に係る情報通知システムは、複数の第４発明に記載の通信装置と、各通信装置と通信網を介して接続される、電子メール受信機能を有する携帯情報端末装置とを備える情報通知システムであって、各通信装置は、自装置以外の通信装置に設定される電子メールアドレス、及び、前記携帯情報端末装置に登録される電子メールアドレスを記憶する手段を備え、前記送信手段により、記憶した電子メールアドレスに基づいて電子メールを送信するように構成してあることを特徴とする。
【００１１】
第６発明に係るコンピュータプログラムは、コンピュータに、報知させるためのコンピュータプログラムにおいて、コンピュータに、電子メールを受信したことを確認させるステップと、コンピュータに、通信網との接続を確立できない位置に設置される報知手段を作動させるステップとを実行させることを特徴とする。
【００１２】
第７発明に係るコンピュータで読み取りが可能な記録媒体は、コンピュータに、報知させるためのコンピュータプログラムを記録してあるコンピュータで読み取りが可能な記録媒体において、コンピュータに、電子メールを受信したことを確認させるステップと、コンピュータに、通信網との接続を確立できない位置に設置される報知手段を作動させるステップとを実行させるコンピュータプログラムを記録してあることを特徴とする。
【００１３】
第１発明及び第２発明においては、通信網との接続を確立できない位置に設置される別体の報知手段を備える、前記通信網との接続を確立できる通信装置が、電子メールを受信し、前記報知手段を作動させる。これにより、ユーザが、通信網との接続を確立できないために電子メールを受信することができない位置にいる場合であっても、その位置付近に設置される前記報知手段を作動させることより、電子メールが送信されたこと、つまり、確認すべき情報が有ることをユーザに認識させることができる。
【００１４】
第３発明においては、前記報知手段は表示器であり、通信装置は、受信した電子メールから前記表示器に表示させる内容を抽出し、抽出した内容を前記表示器に表示させる。これにより、ユーザが、通信網との接続を確立できない位置にいる場合であっても、表示器に電子メールの内容を表示することにより、電子メールにより通知される情報の内容をユーザに報知することができる。
【００１５】
第４発明においては、通信装置は、接続された外部装置から情報を通知する信号を受信し、受信した信号に対応する情報を通知する電子メールを生成し、生成した電子メールを、予め記憶している送信先へ送信する。これにより、通信装置は、通信網との接続を確立できない位置にいるユーザに対して電子メールが送信された旨を報知するだけでなく、外部装置からの信号に基づいて情報を通知する電子メールを生成して送信することもできる。つまり、通信装置は、電子メールの受信を報知すると共に、自ら電子メール送信して送信先へ情報を通知することができるので、情報を通知する電子メールの送信先及び送信元としての役割を兼ね備えており、効率がよい。
【００１６】
第５発明においては、複数の第４発明に記載の通信装置はそれぞれ、自装置以外の通信装置に設定される電子メールアドレス、及び、各通信装置と通信網を介して接続される、電子メール受信機能を有する携帯情報端末装置に登録される電子メールアドレスを記憶し、記憶した電子メールアドレスに基づいて電子メールを送信する。これにより、前記携帯情報端末装置を携帯するユーザが、通信網との接続を確立できない位置にいる場合であっても、前記通信装置が備える前記報知手段を作動させることにより、電子メールが送信された、つまり確認すべき情報が有ることをユーザに認識させることができる。そして、そのユーザが、通信網との接続を確立できる位置へ移動し、前記携帯情報端末装置によりメールサーバ装置への電子メールの問い合わせを行って電子メールを受信することにより、電子メールにより通知される情報の内容を認識することができる。
【００１７】
第６発明及び第７発明においては、通信網との接続を確立できない位置に設置される報知手段を備える、前記通信網との接続を確立できるコンピュータに、電子メールの受信を確認させ、前記報知手段を作動させる。これにより、ユーザが、通信網との接続を確立できない位置にいる場合であっても、前記報知手段を作動させることにより、電子メールが送信された旨をユーザに認識させることができる。
【００１８】
【発明の実施の形態】
以下、本発明をその実施の形態を示す図面に基づいて説明する。
実施の形態１
図１は本発明に係る情報通知システムの概念を示す説明図であり、図２は本発明に係る通信装置の構成を示すブロック図である。
本発明に係る通信装置１（１ａ、１ｂ、１ｃ）は電子メールの送受信機能を有しており、地階を有する複数のビル（本実施の形態においては３棟のビルＢａ、Ｂｂ、Ｂｃ）からなるビル群の各ビルに設置されている。図１において、ビルＢａ、Ｂｂ、Ｂｃの地階部分は破線で示す。また、電子メールの受信機能を有する携帯情報端末装置である携帯電話機２は、ビルＢａ、Ｂｂ、Ｂｃからなるビル群全体の設備を管理する管理人により携帯される。
【００１９】
通信装置１（１ａ、１ｂ、１ｃ）はそれぞれ、別体の報知手段としての回転灯１０（１０ａ、１０ｂ、１０ｃ）を備えており、回転灯１０ａ、１０ｂ、１０ｃは各ビルＢａ、Ｂｂ、Ｂｃ内の、通信装置１、携帯電話機２それぞれによる通信網ＮＷとの接続が確立できない区域（以下、通信圏外という）である地下の各階に設置されている。通信装置１ａ、１ｂ、１ｃの回転灯１０ａ、１０ｂ、１０ｃ以外の部分は、各ビルＢａ、Ｂｂ、Ｂｃ内の、通信装置１、携帯電話機２それぞれによる通信網ＮＷとの接続が確立できる区域（以下、通信圏内という）に設置されている。
【００２０】
このような通信装置１（１ａ、１ｂ、１ｃ）にはそれぞれ、ビルＢａ、Ｂｂ、Ｂｃに備えられる設備５（５ａ、５ｂ、５ｃ）を制御するための設備制御装置４（４ａ、４ｂ、４ｃ）が接続されており、設備制御装置４は、本実施の形態においては各ビルの地階に設置されているものとする。設備５ａ、５ｂ、５ｃはそれぞれ複数の種類の設備からなり、設備制御装置４ａ、４ｂ、４ｃは設備５ａ、５ｂ、５ｃの種類毎に対応する接点を有している。また、通信装置１ａ、１ｂ、１ｃも、設備制御装置４ａ、４ｂ、４ｃが有する接点に対応して、設備５ａ、５ｂ、５ｃの種類毎に対応する接点を有している。設備５から設備制御装置４の対応する接点へ入力される信号に基づいて、設備制御装置４は、オン／オフ信号を通信装置１の対応する接点へ出力する。
【００２１】
なお、本実施の形態においては、設備５において緊急事態が発生した場合に、情報として、緊急事態が発生した旨を通知する形態について説明する。よって、緊急事態が発生した旨を示す緊急信号が設備５から設備制御装置４の対応する接点へ入力され、設備制御装置４は、緊急事態が発生した旨を示す信号としてのオン信号を通信装置１の対応する接点へ出力するものとする。
【００２２】
また、本実施の形態においては、設備５（５ａ、５ｂ、５ｃ）として、エレベータ５１（５１ａ、５１ｂ、５１ｃ）、給排水設備５２（５２ａ、５２ｂ、５２ｃ）、空調設備５３（５３ａ、５３ｂ、５３ｃ）の３種類の設備を備える形態について説明するが、これらの設備に限定するものではなく、他の設備をさらに備える形態であってもよいし、ビル毎に異なる設備を備える形態であってもよい。ただし、図１は簡単のため、設備５ａ、５ｂ、５ｃとして、エレベータ５１ａ、５１ｂ、５１ｃのみを示す。
【００２３】
例えば、ビルＢａに備えられるエレベータ５１ａに緊急事態が発生した場合について説明する。
エレベータ５１ａは緊急信号を設備制御装置４ａへ出力し、緊急信号が入力された設備制御装置４ａは、緊急信号としてのオン信号を通信装置１ａへ出力する。
オン信号が入力された通信装置１ａは、ビルＢａのエレベータ５１ａに緊急事態が発生した旨を通知する電子メールを、通信装置１ａが設置されているビルＢａ以外のビルＢｂ、Ｂｃに設置されている通信装置１ｂ、１ｃ、及び、携帯電話機２へ送信する。
通信網ＮＷ上のメールサーバ装置３を介して電子メールを受信した通信装置１ｂ、１ｃは、それぞれが備える回転灯１０ｂ、１０ｃを点滅させる。
また、携帯電話機２を携帯する管理人が通信圏内にいる場合には、携帯電話機２は、通信装置１ａから送信された電子メールを、メールサーバ装置３を介して受信する。
【００２４】
通信装置１は、図２に示すように、演算を行うＣＰＵ１１と、ＲＡＭ１２と、ＣＤ−ＲＯＭドライブ等の外部記憶部１３と、ハードディスク等の内部記憶部１４とを備えている。本発明に係るＣＤ−ＲＯＭ等の記録媒体６から本発明に係るコンピュータプログラム６０を外部記憶部１３にて読み取り、読み取ったコンピュータプログラム６０を内部記憶部１４に記憶し、ＲＡＭ１２にコンピュータプログラム６０をロードし、ＣＰＵ１１はコンピュータプログラム６０に基づいて通信装置１に必要な処理を実行する。
【００２５】
内部記憶部１４は、設備５に緊急事態が発生した旨を通知する電子メールの送信先の電子メールアドレスを記憶する送信先データベース１４ａ、緊急事態が発生した旨を通知する電子メールの本文となるテキストデータを記憶するテキストデータベース１４ｂ等の各種のデータベースを備えている。テキストデータベース１４ｂには、ビル名、設備の種類、及び、緊急事態が発生したことを示す、設備５の種類に対応するテキストデータが記憶され、緊急事態が発生した設備５の種類に対応するテキストデータが読み出される。
【００２６】
送信先データベース１４ａは、この送信先データベース１４ａを備える通信装置１が設置されているビル以外のビルに設置されている通信装置１に設定されている電子メールアドレスと、携帯電話機２に登録されている電子メールアドレスとを記憶している。
例えば、ビルＢａに設置されている通信装置１ａが備える送信先データベース１４ａの場合、ビルＢｂに設置されている通信装置１ｂに設定されている電子メールアドレス、ビルＢｃに設置されている通信装置１ｃに設定されている電子メールアドレス、及び、携帯電話機２に登録されている電子メールアドレスを記憶している。
なお、ビル群を管理する管理センタに設置されているセンタサーバ装置（図示せず）に設定されている電子メールアドレスをさらに記憶することで、緊急事態が発生した旨を通知する電子メールを管理センタへも送信するようにしてもよい。
【００２７】
また、通信装置１は、電子メール変換部１５を備えている。電子メール変換部１５は、テキストデータベース１４ｂから読み出されたテキストデータを電子メールに変換したり、電子メールをテキストデータに変換したりする。これにより、テキストデータベース１４ｂに記憶されるテキストデータが示す内容を本文とした電子メールが生成される。また、通信装置１が受信した電子メールの本文がテキストデータとして抽出される。
また、通信装置１は、通信網ＮＷと接続するための無線通信部１６と、設備制御装置４が出力する信号を入力するための、設備５としてのエレベータ５１、給排水設備５２、空調設備５３それぞれに対応する接点を有する信号入力部１７とを備えている。
さらに、通信装置１は、回転灯１０の点滅を制御する回転灯回路１８を備えており、回転灯回路１８からの指示により回転灯１０は点滅する。
【００２８】
一方、携帯電話機２は、演算を行うＣＰＵと、ＲＡＭと、ＲＯＭとを備えていおり、各種の処理に必要なプログラム及び各種データ等の情報を前記ＲＯＭに記憶し、前記プログラムを前記ＲＡＭにロードし、前記ＣＰＵは前記プログラムに基づいて処理を実行する。
また、携帯電話機２は、液晶ディスプレイ等の表示部と、各種のキーからなる入力部とを備えており、さらに、通信網ＮＷに接続する無線通信部を備えている。
【００２９】
以下、本発明に係る情報通知システムにおける通信装置１ａ、１ｂ、１ｃによる緊急事態が発生した旨の通知の処理手順を、図３に示すフローチャートに基づいて説明する。なお、以下は、通信装置１ａが設置されているビルＢａに備えられるエレベータ５１ａに緊急事態が発生した場合における、通信装置１ａと通信装置１ｂ、１ｃとの間で行われる処理について説明するが、給排水設備５２ａ、空調設備５３ａに緊急事態が発生した場合にも同様の処理が行われる。また。エレベータ５１ｂ、５１ｃ、給排水設備５２ｂ、５２ｃ、空調設備５３ｂ、５３ｃに緊急事態が発生した場合についても、その設備を備えるビルに設置される通信装置と他のビルに設置される通信装置との間で同様の処理が行われる。
【００３０】
エレベータ５１ａに緊急事態が発生することにより、エレベータ５１ａが緊急信号を設備制御装置４ａの対応する接点へ出力し、設備制御装置４ａが緊急信号としてのオン信号を通信装置１ａの対応する接点へ出力することにより、通信装置１ａは、緊急信号としてのオン信号が入力され（ステップＳ１１）、回転灯回路１８へ回転灯１０ａを点滅させるように指示することにより、回転灯回路１８は回転灯１０ａを点滅させる（ステップＳ１２）。
これにより、回転灯１０ａが点滅し、管理人がビルＢａの地階にいる場合に、緊急事態が発生したことを認識することができる。
【００３１】
そして、通信装置１ａは、テキストデータベース１４ｂから、オン信号が入力された接点に対応する設備５ａとしてのエレベータ５１ａに対応するテキストデータを読み出し（ステップＳ１３）、読み出したテキストデータを基に、ビルＢａのエレベータ５１ａに緊急事態が発生した旨を通知する電子メールを電子メール変換部１５にて生成し（ステップＳ１４）、生成した電子メールを、送信先データベース１４ａに記憶する送信先へ送信する（ステップＳ１５）。
【００３２】
通信装置１ｂ、１ｃは通信網ＮＷとの接続が確立できるために、通信装置１ａから送信された電子メールを、メールサーバ装置３を介して受信することにより、電子メールの受信を確認し（ステップＳ１６）、電子メール変換部１５により、受信した電子メールから本文となっているテキストデータを抽出する（ステップＳ１７）。そして、通信装置１ｂ、１ｃは、抽出したテキストデータにより緊急事態が発生したと認識して、回転灯回路１８へ回転灯１０ｂ、１０ｃを点滅させるように指示することにより、回転灯回路１８は回転灯１０ｂ、１０ｃを点滅させる（ステップＳ１８）。
これにより、回転灯１０ｂ、１０ｃが点滅し、管理人がビルＢｂの地階又はビルＢｃの地階にいる場合に、電子メールが送信されたこと、つまり確認すべき情報が有ることを認識することができる。また、本実施の形態においては、回転灯１０ｂ、１０ｃの点滅により、管理人は何らかの緊急事態が発生したことを認識することができる。
【００３３】
また、ステップＳ１５において通信装置１ａから携帯電話機２の電子メールアドレスを送信先として送信した電子メールについては、管理人が通信圏内にいる場合、携帯電話機２は通信網ＮＷと接続を確立することができるので、メールサーバ装置３を介して電子メールを受信する。そして、携帯電話機２は、管理人の操作により、受信した電子メールを表示する。図５（ａ）は、携帯電話機２が受信した電子メールの表示画面の一例を示す模式図である。これにより、管理人はビルＢａに備えられるエレベータ５１ａに緊急事態が発生したことを認識することができる。
【００３４】
一方、管理人がビルＢａ、Ｂｂ、Ｂｃの何れかの地階にいる場合、携帯電話機２は通信網ＮＷと接続を確立することができないので、メールサーバ装置３において電子メールを保管する。そして、回転灯１０ａ、１０ｂ、１０ｃの点滅により確認すべき情報が有る、つまり、何らかの緊急事態が発生したことを認識した管理人が通信圏内へ移動し、携帯電話機２により通信網ＮＷとの接続を確立し、メールサーバ装置３へ電子メールの問い合わせを行うことにより、電子メールを受信する。そして管理人の操作により図５（ａ）に示した表示画面を携帯電話機２が表示することにより、管理人は、ビルＢａに備えられるエレベータ５１ａに緊急事態が発生したことを認識することができる。
【００３５】
実施の形態２
図４は、実施の形態２に係る通信装置の構成を示すブロック図である。
実施の形態１の通信装置１は単体の装置としたが、実施の形態２の通信装置は、報知手段を備える通知制御装置、テキストデータと電子メールとの変換を行うための電子メール変換装置、及び、通信網ＮＷを介した通信のみを行うための通信専用装置という各種の機能を備えた複数の装置から成るものである。
【００３６】
また、実施の形態１の通信装置１は、報知手段として回転灯１０を備え、緊急事態が発生した旨を通知する電子メールを受信することにより回転灯１０を点滅させる形態としたが、実施の形態２の通信装置は、報知手段として液晶ディスプレイ等の表示器を備える形態とする。なお、本発明に係る通信装置が備える報知手段としては、回転灯又は表示器に限定するものではなく、ブザー等であってもよい。
【００３７】
通信装置１を構成する通知制御装置７は、設備５を制御する設備制御装置４に接続され、実施の形態１の通信装置１と同様に、設備５の種類に対応する接点を有している。通知制御装置７は接点に入力される緊急信号としてのオン信号を基に、緊急事態が発生した旨を通知する電子メールの本文となるテキストデータを読み出し、接続される電子メール変換装置８へ出力する。
電子メール変換装置８は、実施の形態１の通信装置１が備える電子メール変換部１５と同様の機能を果たす装置であり、入力されたテキストデータを電子メールに変換し、生成した電子メールを予め記憶する送信先へ送信するように、接続される通信専用装置９に指示する。通信専用装置９は、通信網ＮＷと接続するための実施の形態１の通信装置１が備える無線通信部１６と同様の機能を果たす装置であり、電子メール変換装置８からの指示どおりに電子メールの送信を行う。
【００３８】
一方、通信網ＮＷ上のメールサーバ装置３（図１に図示）を介して電子メールを受信する場合には、通信専用装置９により電子メールを受信し、その電子メールは電子メール変換装置８へ出力される。電子メール変換装置８は、入力された電子メールから本文となっているテキストデータを抽出し、抽出したテキストデータを通知制御装置７へ出力する。通知制御装置７は、入力されたテキストデータに基づいて表示器７７に表示させる。
これにより、通信装置１全体として、実施の形態１の通信装置１と同様の機能を果たすことができる。
【００３９】
通知制御装置７は、演算を行うＣＰＵ７１と、ＲＡＭ７２と、ＣＤ−ＲＯＭドライブ等の外部記憶部７３と、ハードディスク等の内部記憶部７４とを備えている。図示しない記録媒体から図示しないコンピュータプログラムを外部記憶部７３にて読み取り、読み取ったコンピュータプログラムを内部記憶部７４に記憶し、記憶したコンピュータプログラムをＲＡＭ７２にロードし、ＣＰＵ７１はロードしたコンピュータプログラムに基づいて通知制御装置７に必要な処理を実行する。
【００４０】
内部記憶部７４は、設備５に緊急事態が発生した旨を通知する電子メールの本文となるテキストデータを記憶する、実施の形態１の通信装置１が備えるテキストデータベース１４ｂと同様のテキストデータベース７４ａ等の各種のデータベースを備えている。
また、通知制御装置７は、設備制御装置４が出力する信号を入力するための、設備５としてのエレベータ５１、給排水設備５２、空調設備５３それぞれに対応する接点を有する信号入力部７５と、電子メール変換装置８へテキストデータを出力するためのデータ出力部７６とを備えている。
さらに、通知制御装置７は、電子メールの本文を表示するための表示器７７を備えている。
【００４１】
電子メール変換装置８は、ＣＰＵ８１と、ＲＡＭ８２と、ＲＯＭ８３とを備えており、各種の処理に必要なプログラム及び各種データ等の情報をＲＯＭ８３に記憶し、前記プログラムをＲＡＭ８２にロードし、ＣＰＵ８１はロードしたプログラムに基づいて処理を実行する。
【００４２】
ＲＯＭ８３は、設備５に緊急事態が発生した旨を通知する電子メールの送信先の電子メールアドレスを記憶する、実施の形態１の通信装置１が備える送信先データベース１４ａと同様の送信先データベース８３ａを備えている。送信先としては、実施の形態１の場合と同様に、この通信装置１が設置されているビル以外のビルに設置されている通信装置１に設定されている電子メールアドレスと、携帯電話機２（図１に図示）に登録されている電子メールアドレスとを記憶している。
【００４３】
上述した電子メール変換装置８として、株式会社ハネロン製のＤＭＡ−Ｓを利用し、通信専用装置９として、ＮＴＴドコモが提供するパケット通信網ＤｏＰａと接続してデータ通信を行うことができるＮＴＴドコモ製のＭｏｂｉｌｅ　Ａｒｋを利用することにより、通信装置１全体としての機能を実現することができる。
【００４４】
そして、このような通知制御装置７、電子メール変換装置８、通信専用装置９からなる通信装置１全体として、実施の形態１の図３に示した処理を行う。ただし、本実施の形態においては、ステップＳ１７において、通信装置１ｂ、１ｃは、抽出したテキストデータに基づいて緊急事態が発生した旨を表示器７７に表示させるようにする。
これにより、管理人が地階にいる場合であっても、通信圏内へ移動して携帯電話機２によりメールサーバ装置３への電子メールの問い合わせを行うことなく、管理人が、例えば、図５（ｂ）に示すような表示器７７の表示画面を見るだけで、ビルＢａに備えられるエレベータ５１ａに緊急事態が発生したことを認識することができる。
【００４５】
【発明の効果】
本発明によれば、ユーザが、通信網との接続が確立できない、つまり電子メールを受信することができない位置にいる場合であっても、その位置付近に設置される報知手段を作動させることより、電子メールが送信されたこと、つまり、確認すべき情報が有ることをユーザに認識させることができる。これにより、報知手段がない場合に比べて、電子メールにより通知される情報の内容をユーザに早く認識させることができる。
【００４６】
また、本発明においては、前記報知手段を表示器とすることにより、ユーザが、通信網との接続が確立できない位置にいる場合であっても、その位置付近に設置される表示器に電子メールの内容を表示することにより、電子メールにより通知される情報の内容をユーザに報知することができる。
【００４７】
さらに、本発明においては、通信装置は、通信網との接続が確立できない位置にいるユーザに対して、電子メールが送信されたことを報知するだけでなく、外部装置から受信した信号に対応する情報を通知する電子メールを生成して送信することもできる。つまり、通信装置は、電子メールの受信を報知すると共に、自ら電子メール送信して送信先へ情報を通知することができるので、情報を通知する電子メールの送信先及び送信元としての役割を兼ね備えており、効率がよい。
【図面の簡単な説明】
【図１】本発明に係る情報通知システムの概念を示す説明図である。
【図２】本発明に係る通信装置の構成を示すブロック図である。
【図３】本発明に係る情報通知システムにおける通信装置の処理手順を示すフローチャートである。
【図４】本発明の実施の形態２に係る通信装置の構成を示すブロック図である。
【図５】（ａ）携帯電話機が受信した電子メールの表示画面の一例を示す模式図、（ｂ）表示器の表示画面の一例を示す模式図である。
【符号の説明】
１　通信装置
１１、７１、８１　ＣＰＵ
１４ａ、８３ａ　送信先データベース
１０　回転灯
１５　電子メール変換部
１６　無線通信部
２　携帯電話機
６　記録媒体
６０　コンピュータプログラム
７　通知制御装置
７７　表示器
８　電子メール変換装置
９　通信専用装置
ＮＷ　通信網
【図１】
2004139467.tif 000003
【図２】
2004139467.tif 000004
【図３】
2004139467.tif 000005
【図４】
2004139467.tif 000006
【図５】
2004139467.tif 000007